(57)【要約】【課題】安価な構成で、家具の下の掃除が容易な掃除機用吸込具を提供する。【解決手段】下面に吸引口１１ａを有し横長のノズル部１１と、扁平状の延長管部１２と、一端が延長管部１２の下流側端部に着脱自在に接続されると共に、他端が電気掃除機本体（図示せず）接続されたホース１３の端部に接続される第１の接続部１４と、一端がノズル部１１の中央部に連結され他端が延長管部１２に連結されると共に少なくとも途中が折り曲げ自在の第２の接続部１５とを備え、第１の接続部１４を外した状態で延長管部１２を床に置いたときの全高さを２５ｍｍ以下としたもので、延長管部１２を床に置いたときの全高さが２５ｍｍ以下なので、掃除機用吸込具１０を、床面との距離が小さいソファなどの家具１８の下に容易に差し込む込むことができ、しかも塵埃を吸引する横長の吸引口１１ａが下面に形成されているので、家具１８の下の床面の掃除を確実にできる。【選択図】図１
2011015875.tif 000002
【特許請求の範囲】
【請求項１】
下面に吸引口を有し横長のノズル部と、扁平状の延長管部と、一端が前記延長管部の下流側端部に着脱自在に接続されると共に、他端が電気掃除機本体又は、前記電気掃除機本体に接続されたホースの端部に接続される第１の接続部と、一端が前記ノズル部の中央部に連結され他端が前記延長管部に連結されると共に少なくとも途中が折り曲げ自在の第２の接続部とを備え、前記第１の接続部を外した状態で前記延長管部を床に置いたときの全高さが２５ｍｍ以下になるようにした掃除機用吸込具。
【請求項２】
第１の接続部の途中を、１４５〜１７５度の角度で湾曲させた請求項１に記載の掃除機用吸込具。
【請求項３】
第２の接続部の一端は、ノズル部の上面中央部に回動自在に取り付けられると共に、少なくとも２箇所の位置で回動が規制される請求項１又は２に記載の掃除機用吸込具。
【請求項４】
第２の接続部の少なくとも一部に蛇腹状部を設けて折り曲げ自在とした請求項１〜３のいずれか１項に記載の掃除機用吸込具。
【請求項５】
第２の接続部の少なくとも一部を弾性材料で形成して折り曲げ自在とした請求項１〜３のいずれか１項に記載の掃除機用吸込具。
【請求項６】
第２の接続部を、弾性材料で形成された第１筒状部と、一端が前記第１筒状部の下流側に取着され他端が延長管部に接続される第２筒状部で構成し、前記第２筒状部の上流側端部の上部を、前記第１筒状部の内天面に沿って延出させた請求項５に記載の掃除機用吸込具。
【請求項７】
延長管部を、外管と、前記外管内を摺動すると内管と、前記外管内の前記内管の摺動を規制する摺動規制部と、前記摺動規制部による摺動規制を解除するレバーで構成し、前記レバーを前記外管の側部に配した請求項１〜６のいずれか１項に記載の掃除機用吸込具。
【請求項８】
請求項１〜７のいずれか１項に記載された掃除機用吸込具を備えた電気掃除機。
【発明の詳細な説明】
【技術分野】
【０００１】
本発明は、電気掃除機に用いられる掃除機用吸込具及びそれを用いた電気掃除機に関するものである。
【背景技術】
【０００２】
従来の一般的な掃除機用吸込具として、図６に示されるようなものがある（例えば、特許文献１参照）。図６（ａ）は、上記特許文献１に記載された従来の掃除機用吸込具を用いた電気掃除機の全体斜視図である。図６（ａ）において、従来の掃除機用吸込具１は、底面に吸い込み口（図示せず）を有すると共に、断面がそれぞれ略円環状の延長管２、ホース３を介して掃除機本体４に接続される。掃除機用吸込具１の後方中央部には、後端が延長管２に接続される接続パイプ５が上下方向及び左右方向に回動自在に取着されている。また、ホース３の延長管２側端部には、延長管２に接続されると共に上方に操作用の把手６を有する先端パイプ７が設けられている。
【０００３】
通常の床面掃除の時は、図６（ａ）に示すように、把手６を掴んで、延長管２を斜めに倒した状態で掃除機用吸込具１を床面上で移動させる。掃除機用吸込具１の後方中央部に設けた接続パイプ５は、上下、左右の両方向で回動自在なので、掃除機用吸込具１を前後に移動させたときに、床面に対する延長管２の傾斜角度が変わっても、掃除機用吸込具１の吸い込み口と床面との距離が常に一定に保たれると共に、把手６を捻るだけで、掃除機用吸込具１の向きが変えられる。
【０００４】
次に、ベッドなどの家具８の下を掃除するときの様子を図６（ｂ）を用いて説明する。図６（ｂ）は、家具を上から見た図である。家具８の下を掃除するときは、図６（ｂ）に示すように、把手６を捻って、延長管２を、床面に沿わせるようにして、延長管２と共に掃除機用吸込具１を前後方向に移動させて行う。
【０００５】
一方、狭い場所を主に掃除する掃除機用吸込具として、全体がフラットでしかも長尺で、先端に塵埃吸引用の横長又は縦長の吸引口を有し、他端が、ホースの端部に設けられた先端パイプに接続できるようにしたものもある（例えば、特許文献２及び３参照）。
【先行技術文献】
【特許文献】
【０００６】
【特許文献１】特開２００８−２５３４３３号公報
【特許文献２】特開２００５−１４４１０５号公報
【特許文献３】特開２００９−６６３３３号公報
【発明の概要】
【発明が解決しようとする課題】
【０００７】
しかしながら、上記特許文献１に記載されたような従来の掃除機用吸込具１で家具８の下を掃除するときは、一方の手で把手６を握り他方の手で延長管２を支えながら、掃除機用吸込具１に対して、延長管２を斜めにした状態で前後に移動させなければ、掃除作業が大変であった。また、延長管２を斜めにした状態で掃除機用吸込具１を移動させるので、どうしても掃除漏れや、壁際の掃除が不完全になるなどの課題があった。
【０００８】
さらには、掃除機用吸込具１の後方に設けられた接続パイプ５は、断面が略円環状の延長管２が接続される関係で、延長管２と略同一の高さを有すると共に、掃除機用吸込具１に、上下、左右回動に設けられているため、接続パイプ５を含む掃除機用吸込具１の全高
が、延長管２の高さ（最大外径）より大きく、５０ｍｍを越えるのが一般的で、床面との距離が小さいソファなどの家具８の下に入らないという課題があった。
【０００９】
また、上記特許文献２、３に記載されたような従来の掃除機用吸込具は、いずれも、床面との距離が小さいソファなどの家具８の下に、しかも奥まで容易に入るものの、元々、家具と家具の間などの隙間掃除用に、吸引口の殆どの部分が、掃除機用吸込具の端部の側面に開口しているため、周囲に舞っている塵埃は効率的に吸えるものの、家具８の下の床面の表面に付着した塵埃を殆ど吸引できないという課題があった。
【００１０】
本発明は、上記従来の課題を解決し、安価な構成で、ソファなどの家具の下の掃除が容易でしかも、確実にできる掃除機用吸込具及びそれを用いた電気掃除機を提供することを目的とする。
【課題を解決するための手段】
【００１１】
前記従来の課題を解決するために、本発明の掃除機用吸込具は、下面に吸引口を有し横長のノズル部と、扁平状の延長管部と、一端が前記延長管部の下流側端部に着脱自在に接続されると共に、他端が電気掃除機本体又は、前記電気掃除機本体に接続されたホースの端部に接続される第１の接続部と、一端が前記ノズル部の中央部に連結され他端が前記延長管部に連結されると共に少なくとも途中が折り曲げ自在の第２の接続部とを備え、前記第１の接続部を外した状態で前記延長管部を床に置いたときの全高さが２５ｍｍ以下になるようにしたもので、延長管部を床に置いたときの全高さが２５ｍｍ以下で、第２の接続部の途中が折り曲げ自在なので、掃除機用吸込具を、床面との距離が小さいソファなどの家具の下に容易に差し込む込むことができ、しかも塵埃を吸引する横長の吸引口が下面に形成されているので、家具の下の床面の清掃を確実に行うことができる。又、清掃の際、延長管部をノズル部に対し斜めにする必要が無いので、片手で、しかも壁際の清掃も確実にできる。
【００１２】
また、本発明の電気掃除機は、請求項１〜７のいずれか１項に記載された掃除機用吸込具を備えたもので、ソファなどの家具の下の掃除が容易でしかも、確実にできる。  
【発明の効果】
【００１３】
本発明の掃除機用吸込具及び電気掃除機は、延長管部を床に置いたときの全高さが２５ｍｍ以下で、第２の接続部の途中が折り曲げ自在なので、掃除機用吸込具を、床面との距離が小さいソファ等の家具の下に容易に差し込む込むことができ、しかも塵埃を吸引する横長の吸引口が下面に形成されているので、家具の下の床面の掃除を確実にしかも簡単にできる。
【図面の簡単な説明】
【００１４】
【図１】（ａ）本実施の形態における掃除機用吸込具の斜視図、（ｂ）図１（ａ）のＡ−Ａ断面図、（ｃ）図１（ａ）のＢ−Ｂ断面図掃除機用吸込具を床に寝かせた状態を示す図（ただし、第１の接続部を外した状態）、（ｄ）同第１の接続部の断面図
【図２】（ａ）同掃除機用吸込具で、一般的な床面を掃除する時の様子を示す図、（ｂ）同掃除機用吸込具で、家具の下の床面を掃除するときの様子を示す図、（ｃ）同掃除機用吸込具で、家具の天面を掃除するときの様子を示す図
【図３】（ａ）本発明の第２の実施の形態における掃除機用吸込具の部分断面図（延長管部を寝かせた状態）、（ｂ）同掃除機用吸込具の部分断面図（延長管部を起こした状態）
【図４】（ａ）本発明の第３の実施の形態における掃除機用吸込具の部分平面図、（ｂ）同掃除機用吸込具の部分断面図、（ｃ）同掃除機用吸込具の第２の接続部の下面図（図４（ｂ）のＡ矢視図）、（ｄ）同掃除機用吸込具の部分斜視図
【図５】本発明の第４の実施の形態における掃除機用吸込具の斜視図
【図６】（ａ）従来の掃除機用吸込具を用いた電気掃除機の全体斜視図、（ｂ）同掃除機用吸込具を用いて家具の下を掃除する様子を示す図（上から見た図）
【発明を実施するための形態】
【００１５】
第１の発明は、下面に吸引口を有し横長のノズル部と、扁平状の延長管部と、一端が前記延長管部の下流側端部に着脱自在に接続されると共に、他端が電気掃除機本体又は、前記電気掃除機本体に接続されたホースの端部に接続される第１の接続部と、一端が前記ノズル部の中央部に連結され他端が前記延長管部に連結されると共に少なくとも途中が折り曲げ自在の第２の接続部とを備え、前記第１の接続部を外した状態で前記延長管部を床に置いたときの全高さが２５ｍｍ以下になるようにしたもので、延長管部を床に置いたときの全高さが２５ｍｍ以下で、第２の接続部の途中が折り曲げ自在なので、掃除機用吸込具を、床面との距離が小さいソファなどの家具の下に容易に差し込む込むことができ、しかも塵埃を吸引する横長の吸引口が下面に形成されているので、家具の下の床面の清掃を確実に行うことができる。又、清掃の際、延長管部をノズル部に対し斜めにする必要が無いので、片手で、しかも壁際の清掃も確実にできる。
【００１６】
第２の発明は、特に、第１の発明の第１の接続部の途中を、１４５〜１７５度の角度で湾曲させたもので、例えば、家具の下を掃除する際に、第１の接続部を、その下流側端部が斜め上向きになるように延長管部に接続すれば、第１の接続部の他端に電気掃除機本体又は、前記電気掃除機本体に接続されたホースの端部を接続しても、延長管部が持ち上がることが無く、家具の下を快適に掃除できる。又、第１の接続部を、その下流側端部が斜め下向きになるように延長管部に接続すれば、背の高い家具の天面の清掃が容易である。
【００１７】
第３の発明は、特に、第１又は第２の発明の第２の接続部の一端は、ノズル部の上面中央部に回動自在に取り付けられると共に、少なくとも２箇所の位置で回動が規制されるもので、例えば、ノズル部を、第２の接続部が接続された延長管部の長手方向と直交する位置で回動規制すれば、床面の掃除の際に、ノズル部が不用意に回動することが無く、掃除を容易に行うことができる。又、ノズル部を、延長管部の長手方向と同方向となる位置で回動規制すれば、ノズル部と延長管部が一直線状になり、掃除後の掃除機用吸込具の収納がかさばらず、又容易である。
【００１８】
第４の発明は、特に、第１〜３のいずれか一つの発明の第２の接続部の少なくとも一部に蛇腹状部を設けて折り曲げ自在としたもので、第２の接続部の折り曲げ自在部分を安価に形成することが出来る。
【００１９】
第５の発明は、特に、第１〜３のいずれか一つの発明の第２の接続部の少なくとも一部を弾性材料で形成して折り曲げ自在としたもので、第２の接続部の折り曲げ自在部分を安価に形成することが出来る。
【００２０】
第６の発明は、特に、第５の発明の第２の接続部を、弾性材料で形成された第１筒状部と、一端が前記第１筒状部の下流側に取着され他端が延長管部に接続される第２筒状部で構成し、前記第２筒状部の上流側端部の上部を、前記第１筒状部の内天面に沿って延出させたもので、床面掃除時に、ノズル部を床面に接地させ、延長管部の下流側端部を持ち上げると、第１筒状部が折り曲げられるが、このとき、第１筒状部の内天面が第２筒状部からの延出部で支えられるので、吸引力で前記第１筒状部の天面がつぶれて吸引通路が塞がり掃除性能が低下することが無い。
【００２１】
第７の発明は、特に、第１〜６のいずれか一つの発明の延長管部を、外管と、前記外管内を摺動すると内管と、前記外管内の前記内管の摺動を規制する摺動規制部と、前記摺動
規制部による摺動規制を解除するレバーで構成し、前記レバーを前記外管の側部に配したもので、レバーにより、延長管部の伸縮長さを自由に調整できると共に、レバーを設けても、床面に置いたときの延長管部の高さに影響がないので、ソファの下の清掃の容易性に何ら影響を与えない。
【００２２】
第８の発明における電気掃除機は、請求項１〜７のいずれか１項に記載された掃除機用吸込具を備えたもので、ソファなどの家具の下の掃除が容易でしかも、確実にできる。
【００２３】
以下、本発明の実施の形態について、図面を参照しながら説明する。なお、この実施の形態によって本発明が限定されるものではない。
【００２４】
（実施の形態１）
本発明の第１の実施の形態における掃除機用吸込具について、図１及び２を用いて説明する。図１（ａ）は、本実施の形態における掃除機用吸込具の斜視図、（ｂ）は、図１（ａ）のＡ−Ａ断面図、図１（ｃ）は、図１（ａ）のＢ−Ｂ断面図で、かつ同掃除機用吸込具を床に寝かせた状態を示す図（ただし、第１の接続部を外した状態）、図１（ｄ）は、同第１の接続部の断面図である。
【００２５】
図１において、本実施の形態における掃除機用吸込具１０は、下面に塵埃を吸引するための吸引口１１ａを有する横長のノズル部１１と、断面が略ロ字状の空気通路１２ａを有しかつ扁平状の延長管部１２と、一端が前記延長管部１２の下流側端部に着脱自在に接続される第１の接続部１４と、一端がノズル部１１の後面の中央部に連結され他端が前記延長管部１２に連結される第２の接続部１５から構成されている。
【００２６】
第１の接続部１４の延長管部側端部１４ａは、扁平状で、延長管部１４に着脱自在で、しかも上下どちらを上にしても取り付けられるようになっており、また、ホース側端部１４ｂは、電気掃除機本体（図示せず）に接続されたホース１３の端部に設けられ操作用の把手１６を有する先端パイプ１７に着脱自在に接続できるようになっている。更に第１の接続部１４の延長管部側端部１４ａとホース側端部１４ｂとの間には、内角Ａが１４５〜１７５度の湾曲部１４ｃが形成されている。
【００２７】
第１の接続部１４の延長管部側端部１４ａ側の上面、下面のそれぞれには、突起１４ｄが設けられ、延長管部１２に接続したときに、延長管部１２に設けた係合穴１２ｂに係合して、掃除の際に、第１の接続部１４が、延長管部１２から不用意に外れることが無いようになっている。
【００２８】
第２の接続部１５は、内部に空気通路１５ａを有すると共に折り曲げ自在の蛇腹状の折り曲げ部１５ｂを有する第１筒状部１５ｃと、一端が第１筒状部１５ｃの下流側に取着され他端が延長管部１２に接続される第２筒状部１５ｄから構成されている。
【００２９】
第２の接続部１５の第２筒状部１５ｄの延長管部１２側には、突起１５ｅが設けられ、延長管部１２に接続したときに、延長管部１２に設けた係合穴１２ｃに係合して、掃除の際に、第２の接続部１５が、延長管部１２から不用意に外れることが無いようになっている。
【００３０】
そして、本実施の形態では、図１（ｃ）に示すように、延長管部１２から第１の接続部１４を外した状態で、掃除機用吸込具１０を床に置いたときの全高Ｈが２５ｍｍ以下になるように構成している。
【００３１】
以上のように構成された本実施の形態における掃除機用吸込具の使用例について図２を
用いて説明する。図２（ａ）は、本実施の形態における掃除機用吸込具１０で、一般的な床面を掃除する時の様子を示すもので、掃除機用吸込具１０のノズル部１１を床面に接地させ、ホース１３の先端パイプ１７に設けた把手１６を握って、ノズル部１１を床面上で前後に操作することにより、床面の塵埃が空気と共に吸引口１１ａより吸引され、第２の接続部１５、延長管部１２、第１の接続部１４、ホース１３を通って、電気掃除機本体内の集塵室（図示せず）に流入し、塵埃のみが、そこで捕集され、きれいになった空気は、電気掃除機本体の後部より外部に排気される。
【００３２】
次に、図２（ｂ）を用いて、ソファなどの家具１８の下を掃除する場合について説明する。最初に、第１の接続部１４のホース側端部１４ｂを上向きにして、第１の接続部１４を延長管部１２に接続し、次にホース１３の先端パイプ１７を第１の接続部１４に接続する。そして先端パイプ１７に設けた把手１６を掴み、延長管部１２を倒し、前後、左右に操作することで、床面との距離が小さいソファなどの家具１８の下の床を簡単に、しかも確実に清掃できる。
【００３３】
次に、次に、図２（ｃ）を用いて、タンスなどの背の高い家具１８の天面を清掃する場合について説明する。最初に、第１の接続部１４のホース側端部１４ｂを下向きにして、第１の接続部１４を延長管部１２に接続した上で、ホース１３の先端パイプ１７を、第１の接続部１４に接続する。そして、ノズル部１１を、家具１８の天面に置き、先端パイプ１７に設けた把手１６を掴んで、前後、左右に移動させることで、家具１８の天面も容易に清掃することができる。
【００３４】
以上のように、本実施の形態によれば、第２の接続部１５の途中が折り曲げ自在なので、通常の床面の清掃が手軽にでき、また、延長管部１２を床に置いたとき、第１の接続部１４を含まない全高Ｈが２５ｍｍ以下なので、掃除機用吸込具１０を、床面との距離が小さいソファなどの家具１８の下に容易に差し込む込むことができ、しかも塵埃を吸引する横長の吸引口１１ａが、ノズル部１１の下面に形成されているので、床面の掃除を効率よく、確実にしかも簡単にできる。又、清掃の際、延長管部１２をノズル部１１に対し斜めにする必要が無いので、片手で、しかも壁際の清掃も確実にできる。
【００３５】
又、第１の接続部１４の途中に、１４５〜１７５度の角度で湾曲させた湾曲部１４ｃがあるので、ソファなどの家具１８の下を掃除する際に、第１の接続部１４のホース側端部１４ｂが斜め上向きになるように延長管部１２に接続すれば、第１の接続部１４の他端に、ホース１３の先端パイプ１７を接続しても、延長管部１２が持ち上がることが無く、家具１８の下を快適に掃除できる。
【００３６】
又、第１の接続部１４のホース側端部１４ｂを斜め下向きになるように延長管部１２に接続すれば、背の高い家具１８の天面の清掃が容易にできる。
【００３７】
又、第２の接続部１５の一部を蛇腹状の折り曲げ部１５ｂを有する第１筒状部１５ｃで構成しているので、第２の接続部１５の折り曲げ自在部分を安価に形成することが出来る。
【００３８】
（実施の形態２）
図３は、本発明の第２の実施の形態における掃除機用吸込具の部分断面図である。なお、上記第１の実施の形態における掃除機用吸込具と同一部分には、同一符号を付してその説明を省略する。図３において、本実施の形態における掃除機用吸込具２０は、ノズル部１１と延長管部１２を連結する第２の接続部２１を、弾性材料で形成された第１筒状部２１ａと、一端が第１筒状部２１ａの下流側に取着され他端が延長管部１２に接続される第２筒状部２１ｂで構成し、第２筒状部２１ｂの上流側端部の上部に、第１筒状部２１ａの
内天面に沿って延出した延出部２１ｃを設けたもので、他の構成は、上記第１の実施の形態における掃除機用吸込具と同一である。
【００３９】
以上の様に構成された本実施の形態における掃除機用吸込具２０の作用、動作は、以下の通りである。掃除の際、図３（ｂ）に示すように、ノズル部１１を床面に接地させ、延長管部１２の下流側端部を持ち上げると、第１筒状部２１ａが内側に折り曲げられ、その天面が内方に凹もうとするが、本実施の形態では、第１筒状部２１ａの内天面が第２筒状部２１ｂからの延出部２１ｃで支えられているので、第１筒状部２１ａの天面が凹みさらに、吸引力で、第１筒状部２１ａがつぶれて吸引通路が塞がってしまい、掃除ができなくなる、ということが無い。
【００４０】
又、本実施の形態では、第１筒状部２１ａを弾性材料で形成しているので、第２の接続部２１の折り曲げ自在部分を安価に形成することが出来る。
【００４１】
（実施の形態３）
図４（ａ）は、本発明の第３の実施の形態における掃除機用吸込具の部分平面図、図４（ｂ）は、同掃除機用吸込具の部分断面図、図４（ｃ）は、同掃除機用吸込具の第２の接続部の下面図（図４（ｂ）のＡ矢視図）、図４（ｄ）は、同掃除機用吸込具の部分斜視図である。なお、上記実施の形態における掃除機用吸込具と同一部分には、同一符号を付してその説明を省略する。
【００４２】
本実施の形態における掃除機用吸込具２３は、ノズル部１１と延長管部１２とを連結する第２の接続部２４のノズル部１１側の端部を、ノズル部１１の上面中央部に回動自在に取り付け、さらに、少なくとも２箇所の位置で、ノズル部１１の回動が規制されるようにしたもので、他の構成は、上記実施の形態における掃除機用吸込具と同じである。
【００４３】
本実施の形態では、ノズル部１１の回動の規制は、第２の接続部２４のフランジ部２４ａに設けた第１と凸部２４ｂ、第２凸部２４ｃ、第３凸部２４ｄと、ノズル部１１に設けられ凸部２４ｂ、２４ｃ、２４ｄに係合する凹部１１ｂで行われるようになっている。第１凸部２４ｂと、第２凸部２４ｃと、第３凸部２４ｄとの間の周角度は９０度で、第１凸部２４ｂと凹部１１ｂが係合している状態を示すのが、図４（ａ）で、ノズル部１１が、延長管部１２の長手方向と直交する位置で回動規制されている。
【００４４】
また、第２凸部２４ｃまたは第３凸部２４ｄと、凹部１１ｂが係合している状態を示すのが、図４（ｄ）で、ノズル部１１が、延長管部１２の長手方向と同方向の位置で回動規制されている。
【００４５】
なお、ノズル部１１の回動規制位置を変えるときは、一方の手でノズル部１１を掴み、他方の手で第２の接続部２４を、第１凹部２４ｂまたは第２凹部２４ｃと、凸部１１ｂとの係合力に抗して回すだけで良い。
【００４６】
以上のように、本実施の形態における掃除機用吸込具２３によれば、ノズル部１１を、第２の接続部２４が接続された延長管部１２の長手方向と直交する位置で回動規制すれば、床面の掃除の際に、ノズル部１１が不用意に回動することが無く、掃除を容易に行うことができ、又、ノズル部１１を、延長管部１２の長手方向と同方向となる位置で回動規制すれば、ノズル部１１と延長管部１２が一直線状になり、掃除後の掃除機用吸込具２３の収納がかさばらず、又容易である。
【００４７】
（実施の形態４）
図５は、本発明の第４の実施の形態における掃除機用吸込具の斜視図である。なお、上
記実施の形態における掃除機用吸込具と同一部分には、同一符号を付してその説明を省略する。本実施の形態における掃除機用吸込具２７は、床面上の塵埃を吸引するノズル部１１と、扁平状の延長管部２８と、一端が前記延長管部２８の下流側端部に着脱自在に接続される第１の接続部１４と、一端がノズル部１１に回動自在に連結され他端が延長管部２８に連結される第２の接続部２４から構成され、延長管部２８を、外管２８ａと、前記外管２８ａ内を摺動する内管２８ｂで構成し、外管２８ａ内の内管２８ｂの摺動を規制する摺動規制部２８ｃと、外管２８ａの側部に設けられ、摺動規制部２８ｃによる摺動規制を解除するレバー２８ｄを設けている。内管２８ｂのレバー２８ｄ側の側面には、複数の凹溝２８ｅが連設されている。
【００４８】
摺動規制部２８ｃには、内管２８ｂの側部に連続して設けた凹溝２８ｅに係止する係止片（図示せず）が内蔵され、バネ２８ｆで外方に付勢されたレバー２８ｄを押している間、凹溝２８ｅと係止片の係止が外れて、外管２８ａ内で内管２８ｂを任意の位置まで摺動させることができ、そこでレバー２８ｄから手を離すことにより、内管２８ｂの位置が固定されるようになっている。
【００４９】
以上のように、本実施の形態における掃除機用吸込具２７は、レバー２８ｄの操作により、外管２８ａ内の内管２８ｂの位置を変えて、延長管部２８全体の伸縮長さを自由に調整できると共に、レバー２８ｄが外管２８ａの側部に設けられているので、掃除機用吸込具２７を床面に置いたとき、レバー２８ｄにより延長管部１２が浮き上がったりすることが無く、ソファなどの家具１８の下の床面の清掃の容易性に何ら影響を与えることが無い。
【００５０】
なお、上記実施の形態では、第１の接続部１４のホース側端部１４ｂを、ホース１３の先端パイプ１７に接続できるようにしたが、電気掃除機本体に設けられた吸入口（図示せず）に直接接続できる形状としても良い。
【産業上の利用可能性】
【００５１】
以上のように、本発明にかかる掃除機用吸込具は、安価な構成で、床面との距離が小さいソファなどの家具の下の掃除が容易にしかも確実にできるもので、家庭用、業務用、店舗用の各種電気掃除機に適用できる。
【符号の説明】
【００５２】
１０、２０、２３、２７  掃除機用吸込具
１１  ノズル部
１１ａ  吸引口
１２、２８  延長管部
１３  ホース
１４  第１の接続部
１５、２１、２４  第２の接続部
１５ｂ  折り曲げ部
１５ｃ、２１ａ  第１筒状部
１５ｄ、２１ｂ  第２筒状部
２１ｃ  延出部
２８ｄ  レバー
【図１】
2011015875.tif 000003
【図２】
2011015875.tif 000004
【図３】
2011015875.tif 000005
【図４】
2011015875.tif 000006
【図５】
2011015875.tif 000007
【図６】
2011015875.tif 000008